(57)【要約】【課題】プラグ受け部２２が横に移動でき、しかもプラグ受け部２２の幅方向の短い寸法で全体を構成できる電気コネクタ１０を提供する。【解決手段】導電性と弾性を有する板材からなる電気コネクタ１０であって、基板の表面に重ねて裁置して半田付け固定される半田付け部１４と、この半田付け部１４の一端側を上方に向けて板厚方向に折り曲げた立ち上げ部１６と、さらにその上側を略Ｕ字状または略コ字状に板厚方向に折り曲げた弾性部１８と、その先端側に基板の上方を開口側とする略Ｕ字状または略コ字状に幅方向の両側を板厚方向に折り曲げて対向する両面に内側に凸なる接点部２４を設けたプラグ受け部２２とで構成する。立ち上げ部１６と弾性部１８の捩れおよび弾性部１８の弾性変形により、プラグ受け部２２の接点部２４が横方向に移動し得る。【選択図】    図１
2008305659.tif 000002
【特許請求の範囲】
【請求項１】
導電性と弾性を有する板材からなり、基板に半田付けにより固定され、プラグ端子が挿入されて電気的接続される電気コネクタであって、前記基板の表面に重ねて裁置して半田付け固定される半田付け部と、この半田付け部の一端側を前記基板の上方に向けて板厚方向に折り曲げて形成される立ち上げ部と、さらに前記立ち上げ部の上側を略Ｕ字状または略コ字状に板厚方向に折り曲げて形成される弾性部と、この弾性部の先端側に前記基板の上方を開口側とするように略Ｕ字状または略コ字状に幅方向の両側を板厚方向に折り曲げるとともにその対向する両面に内側に凸なる接点部を設けて形成されるプラグ受け部とを備え、前記立ち上げ部および前記弾性部の捩れと弾性変形で前記プラグ受け部の前記接点部が横に移動できるように構成したことを特徴とする電気コネクタ。
【請求項２】
導電性と弾性を有する板材からなり、基板に半田付けにより固定され、プラグ端子が挿入されて電気的接続される電気コネクタであって、前記基板の表面に重ねて裁置して半田付け固定される半田付け部と、この半田付け部の一端側を前記基板の上方に向けて板厚方向に折り曲げて形成される立ち上げ部と、さらに前記立ち上げ部の上側を略Ｕ字状または略コ字状に板厚方向に折り曲げて形成される弾性部と、この弾性部の先端側に前記基板と平行方向を開口側とするように略Ｕ字状または略コ字状に幅方向の両側を板厚方向に折り曲げるとともにその対向する両面に内側に凸なる接点部を設けて形成されるプラグ受け部とを備え、前記立ち上げ部および前記弾性部の捩れと弾性変形で前記プラグ受け部の前記接点部が横に移動できるように構成したことを特徴とする電気コネクタ。
【請求項３】
請求項１記載の電気コネクタにおいて、前記弾性部の先端側に前記基板と平行方向に向けた第２の弾性部を形成し、その先端側に前記プラグ受け部を形成して構成したことを特徴とした電気コネクタ。
【請求項４】
請求項３記載の電気コネクタにおいて、前記弾性部の一部と前記第２の弾性部を側方から見て略Ｓ字状に折り曲げて構成したことを特徴とした電気コネクタ。
【請求項５】
請求項３記載の電気コネクタにおいて、前記弾性部の先端側に幅方向の寸法が狭い前記第２の弾性部を形成して構成したことを特徴とした電気コネクタ。
【請求項６】
請求項１ないし３記載のいずれかの電気コネクタにおいて、前記弾性部をその幅方向の中央に長さ方向のスリットを設けて２本の弾性片に形成して構成したことを特徴とする電気コネクタ。
【請求項７】
請求項１ないし３記載のいずれかの電気コネクタにおいて、前記立ち上げ部から前記弾性部に跨り、その幅方向の中央に長さ方向のスリットを設けて２本の弾性片に形成して構成したことを特徴とする電気コネクタ。
【請求項８】
請求項１記載の電気コネクタにおいて、前記立ち上げ部の上側を前記半田付け部側に折り曲げて前記弾性部を形成して構成したことを特徴とした電気コネクタ。
【請求項９】
請求項８記載の電気コネクタにおいて、前記半田付け部の他端側に上方に凸なる突起部を形成し、前記プラグ受け部の下方への弾性変位で前記略Ｕ字状または略コ字状の底部が前記突起部に当接して前記下方への弾性変位を規制するように構成したことを特徴とした電気コネクタ。
【請求項１０】
請求項８記載の電気コネクタにおいて、前記半田付け部の他端側に上方に凸なる突起部を形成し、前記プラグ受け部の先端側の一部を前記他端側に伸ばしてこれを下方に折り曲げて係合部を形成し、前記プラグ受け部の前記半田付け部の一端側への弾性変位で前記係合部が前記突起部に当接して前記半田付け部の一端側への弾性変位を規制するように構成したことを特徴とした電気コネクタ。
【請求項１１】
請求項２記載の電気コネクタにおいて、前記プラグ受け部の先端側を前記基板と平行方向に伸ばして、前記プラグ受け部の下側で前記基板の上方を開口側とするように略Ｕ字状または略コ字状に幅方向の両側を板厚方向に折り曲げて前記プラグ受け部の両側外方に規制部を形成するとともに、この規制部の対向する内面を前記プラグ受け部の両側外面に接しまたは隙間を設けて配設するようになし、前記規制部により前記プラグ受け部の前記接点部の開きを規制するように構成したことを特徴とした電気コネクタ。
【請求項１２】
請求項２記載の電気コネクタにおいて、前記立ち上げ部の上側を前記半田付け部側に折り曲げて前記弾性部を形成して構成したことを特徴とした電気コネクタ。
【請求項１３】
請求項１２記載の電気コネクタにおいて、前記弾性部の先端側に前記基板と平行方向で前記半田付け部の他端側に向けて前記半田付け部の上方に達する延設部を形成し、前記半田付け部の前記他端側に上方に凸なる突起部を形成し、前記プラグ受け部の下方への弾性変位で前記延設部が前記突起部に当接して前記下方への弾性変位を規制するように構成したことを特徴とした電気コネクタ。
【請求項１４】
請求項１２記載の電気コネクタにおいて、前記弾性部の先端側に前記基板と平行方向で前記半田付け部の他端側に向けて前記半田付け部の上方に達する延設部を形成し、前記延設部の先端側の一部をさらに伸ばしてこれを下方に折り曲げて係合部を形成し、前記半田付け部の前記他端側に上方に凸なる突起部を形成し、前記プラグ受け部の前記半田付け部の一端側への弾性変位で前記係合部が前記突起部に当接して前記半田付け部の一端側への弾性変位を規制するように構成したことを特徴とした電気コネクタ。
【発明の詳細な説明】
【技術分野】
【０００１】
本発明は、電子機器等の電気接続に用いられ、プラグ端子が挿入されて電気的接続がなされる小型の電気コネクタに関するものである。
【背景技術】
【０００２】
電子機器にバッテリーパック等を着脱自在に構成するために、電子機器とバッテリーパック等を電気的に接続および分離可能とする電気コネクタが汎用されている。その技術の一例として、特開２００６−１９２９６号公報（以下、特許文献１と称する。）に示されたものがある。この特許文献１に示された技術は、プラグ端子が挿入されるプラグ受け部が、ばね部材を介してベース部材に板金で一体に構成されたものである。その構造をより詳細に説明すると、プラグ受け部の幅方向の両外側で略Ｕ字状に板厚方向に折り曲げられ、さらにその先端がさらに幅方向の外側で略Ｕ字状に板厚方向に折り曲げられてばね部材が形成され、このばね部材の先端側の下端部が板厚方向に折り曲げられてベース部材が形成されている。このベース部材は、半田付けにより基板に固定される。かかる構成にあっては、ばね部材が板厚方向に弾性変形するとともに略Ｕ字状の折り曲げ部の曲げが変形して、プラグ受け部が両側方の横方向に容易に移動できる。そこで、プラグ端子が挿入または引き抜かれる際に、プラグ端子の相対的な横方向の位置ずれがあってプラグ受け部に横方向への力が加えられても、これがばね部材の弾性変形により吸収され、基板に固定されるベース部材に横方向への大きな力が作用しない。もって、ベース部材が基板から剥離される等の事故を生ずることがない。
【特許文献１】特開２００６−１９２９６号公報
【発明の開示】
【発明が解決しようとする課題】
【０００３】
小型の携帯電話機等の電子機器にあっては、かかる電気コネクタを複数個ほど横に並べて配設される場合が多い。すると、特許文献１に記載された従来技術にあっては、プラグ受け部の幅方向の両外側にばね部材を配設しているので、電気コネクタ全体の幅方向の寸法が、プラグ受け部の幅方向の寸法よりかなり大きくならざるを得ない。そこで、特許文献１記載の技術にあっては、電気コネクタを狭いピッチで配列するのに適したものでない。これは、携帯電話等の小型化が強く要請される電子機器にあっては、小型化を阻害する要因ともなる。
【０００４】
本発明は、上述のごとき従来技術の事情に鑑みてなされたもので、プラグ受け部の幅方向の短い寸法で全体を構成できる電気コネクタを提供することを目的とする。
【課題を解決するための手段】
【０００５】
かかる目的を達成するために、本発明の電気コネクタは、導電性と弾性を有する板材からなり、基板に半田付けにより固定され、プラグ端子が挿入されて電気的接続される電気コネクタであって、前記基板の表面に重ねて裁置して半田付け固定される半田付け部と、この半田付け部の一端側を前記基板の上方に向けて板厚方向に折り曲げて形成される立ち上げ部と、さらに前記立ち上げ部の上側を略Ｕ字状または略コ字状に板厚方向に折り曲げて形成される弾性部と、この弾性部の先端側に前記基板の上方を開口側とするように略Ｕ字状または略コ字状に幅方向の両側を板厚方向に折り曲げるとともにその対向する両面に内側に凸なる接点部を設けて形成されるプラグ受け部とを備え、前記立ち上げ部および前記弾性部の捩れと弾性変形で前記プラグ受け部の前記接点部が横に移動できるように構成されている。
【０００６】
また、導電性と弾性を有する板材からなり、基板に半田付けにより固定され、プラグ端子が挿入されて電気的接続される電気コネクタであって、前記基板の表面に重ねて裁置して半田付け固定される半田付け部と、この半田付け部の一端側を前記基板の上方に向けて板厚方向に折り曲げて形成される立ち上げ部と、さらに前記立ち上げ部の上側を略Ｕ字状または略コ字状に板厚方向に折り曲げて形成される弾性部と、この弾性部の先端側に前記基板と平行方向を開口側とするように略Ｕ字状または略コ字状に幅方向の両側を板厚方向に折り曲げるとともにその対向する両面に内側に凸なる接点部を設けて形成されるプラグ受け部とを備え、前記立ち上げ部および前記弾性部の捩れと弾性変形で前記プラグ受け部の前記接点部が横に移動できるように構成しても良い。
【０００７】
そして、前記弾性部の先端側に前記基板と平行方向に向けた第２の弾性部を形成し、その先端側に前記プラグ受け部を形成して構成することもできる。
【０００８】
さらに、前記弾性部の一部と前記第２の弾性部を側方から見て略Ｓ字状に折り曲げて構成しても良い。
【０００９】
また、前記弾性部の先端側に幅方向の寸法が狭い前記第２の弾性部を形成して構成しても良い。
【００１０】
そして、前記弾性部をその幅方向の中央に長さ方向のスリットを設けて２本の弾性片に形成して構成することもできる。
【００１１】
また、前記立ち上げ部から前記弾性部に跨り、その幅方向の中央に長さ方向のスリットを設けて２本の弾性片に形成して構成することもできる。
【００１２】
そして、前記立ち上げ部の上側を前記半田付け部側に折り曲げて前記弾性部を形成して構成しても良い。
【００１３】
さらに、前記半田付け部の他端側に上方に凸なる突起部を形成し、前記プラグ受け部の下方への弾性変位で前記略Ｕ字状または略コ字状の底部が前記突起部に当接して前記下方への弾性変位を規制するように構成することもできる。
【００１４】
また、前記半田付け部の他端側に上方に凸なる突起部を形成し、前記プラグ受け部の先端側の一部を前記他端側に伸ばしてこれを下方に折り曲げて係合部を形成し、前記プラグ受け部の前記半田付け部の一端側への弾性変位で前記係合部が前記突起部に当接して前記半田付け部の一端側への弾性変位を規制するように構成することもできる。
【００１５】
そして、前記プラグ受け部の先端側を前記基板と平行方向に伸ばして、前記プラグ受け部の下側で前記基板の上方を開口側とするように略Ｕ字状または略コ字状に幅方向の両側を板厚方向に折り曲げて前記プラグ受け部の両側外方に規制部を形成するとともに、この規制部の対向する内面を前記プラグ受け部の両側外面に接しまたは隙間を設けて配設するようになし、前記規制部により前記プラグ受け部の前記接点部の開きを規制するように構成しても良い。
【００１６】
また、前記弾性部の先端側に前記基板と平行方向で前記半田付け部の他端側に向けて前記半田付け部の上方に達する延設部を形成し、前記半田付け部の前記他端側に上方に凸なる突起部を形成し、前記プラグ受け部の下方への弾性変位で前記延設部が前記突起部に当接して前記下方への弾性変位を規制するように構成することもできる。
【００１７】
また、前記弾性部の先端側に前記基板と平行方向で前記半田付け部の他端側に向けて前記半田付け部の上方に達する延設部を形成し、前記延設部の先端側の一部をさらに伸ばしてこれを下方に折り曲げて係合部を形成し、前記半田付け部の前記他端側に上方に凸なる突起部を形成し、前記プラグ受け部の前記半田付け部の一端側への弾性変位で前記係合部が前記突起部に当接して前記半田付け部の一端側への弾性変位を規制するように構成することもできる。
【発明の効果】
【００１８】
請求項１記載の電気コネクタにあっては、半田付け部とプラグ受け部を一体に結ぶ立ち上げ部および弾性部の捩れと弾性変形により、プラグ受け部の接点部が横方向に容易に変位し得る。もって、プラグ受け部に対して挿入されたプラグ端子の相対的な横方向の位置ずれが吸収される。そして、本発明の電気コネクタは、正面から見て、プラグ受け部の後ろ側に立ち上げ部および弾性部が全て配設されていて、プラグ受け部の幅方向の両外側には何も設けられていないので、全体の幅方向の寸法が狭くて足りる。そこで、複数個の電気コネクタを基板に横に並べて配設する場合に、配設するピッチを小さくでき、それだけ小型化に好適である。また、プラグ受け部が基板の上方を開口側とする略Ｕ字状または略コ字状に形成されているので、基板に対して上方からプラグ端子を挿入する電気コネクタに好適である。
【００１９】
請求項２記載の電気コネクタにあっては、請求項１と同様に、電気コネクタの幅方向の寸法を狭くすることができる。また、プラグ受け部が基板と平行方向を開口側とする略Ｕ字状または略コ字状に形成されているので、基板に対して平行方向にプラグ端子を挿入する電気コネクタに好適である。
【００２０】
請求項３記載の電気コネクタにあっては、弾性部の先端側に基板と平行方向に向けて第２の弾性部を形成して、その先端側にプラグ受け部を形成したので、立ち上げ部と弾性部および第２の弾性部と、捩れおよび弾性変形し得る部分がより長く形成され、プラグ受け部の接点部が横方向により一層容易に変位し得る。
【００２１】
請求項４記載の電気コネクタにあっては、弾性部の一部と第２の弾性部を側方から見て略Ｓ字状に折り曲げて形成したので、捩れおよび弾性変形し得る部分がより長く形成され、プラグ受け部の接点部が横方向により一層容易に変位し得る。
【００２２】
請求項５記載の電気コネクタにあっては、弾性部の先端側に幅方向の寸法が狭い第２の弾性部を形成したので、この第２の弾性部の捩れと弾性変形により、プラグ受け部の接点部が横方向に容易に変位し得る。
【００２３】
請求項６記載の電気コネクタにあっては、弾性部をその幅方向の中央に長さ方向のスリットを設けて２本の弾性片に形成したので、弾性部はそれぞれの弾性片毎に捩れと弾性変形が可能であり、プラグ受け部の接点部が容易に横方向に変位し得る。
【００２４】
請求項７記載の電気コネクタにあっては、立ち上げ部から弾性部に跨り、その幅方向の中央に長さ方向のスリットを設けて２本の弾性片に形成したので、それぞれに捩れと弾性変形できる部分がより一層長くなり、プラグ受け部の接点部が容易に横方向に変位し得る。
【００２５】
請求項８および１２記載の電気コネクタにあっては、立ち上げ部の上側を半田付け部側に折り曲げて弾性部を形成したので、弾性部が半田付け部側にあり、奥行きの短い電気コネクタを構成できる。
【００２６】
請求項９記載の電気コネクタにあっては、前記半田付け部の他端側に上方に凸なる突起部を形成したので、プラグ受け部の下方への弾性変位で略Ｕ字状または略コ字状の底部が突起部に当接して、下方への弾性変位が規制され、過度の弾性変形による塑性変形を生ずることがない。
【００２７】
請求項１０記載の電気コネクタにあっては、半田付け部の他端側に上方に凸なる突起部を形成し、プラグ受け部の先端側の一部を他端側に伸ばしてこれを下方に折り曲げて係合部を設けたので、プラグ受け部の半田付け部の一端側への弾性変位で係合部が突起部に当接して、半田付け部の一端側への弾性変位が規制され、過度の弾性変形による塑性変形を生ずることがない。
【００２８】
請求項１１記載の電気コネクタにあっては、プラグ受け部の両外側に接しまたは隙間を設けて規制部を形成したので、プラグ受け部の略Ｕ字状または略コ字状の開きが規制部に当接することで規制され、過度の弾性変形によりプラグ受け部の略Ｕ字状または略コ字状に塑性変形を生ずることがない。
【００２９】
請求項１３記載の電気コネクタにあっては、弾性部の先端側に基板と平行方向で半田付け部の他端側に向かって半田付け部の上方に達する延設部を形成し、半田付け部の他端側に上方に凸なる突起部を形成したので、プラグ受け部の下方への弾性変位に伴い延設部も下方に変位して突起部に当接し、下方への弾性変位が規制される。
【００３０】
請求項１４記載の電気コネクタにあっては、弾性部の先端側に基板と平行方向で半田付け部の他端側に向かって半田付け部の上方に達する延設部を形成し、その先端側の一部をさらに伸ばして下方に折り曲げて係合部を形成し、半田付け部の他端側に上方に凸なる突起部を形成したので、プラグ受け部の半田付け部の一端側への弾性変位に伴い係合部も一端側に変位して突起部に当接し、一端側への弾性変位が規制される。
【発明を実施するための最良の形態】
【００３１】
以下、本発明の第１実施例を、図１ないし図１０を参照して説明する。図１は、本発明の電気コネクタの第１実施例の前方斜め上方から見た外観斜視図である。図２は、図１の電気コネクタの後方斜め下方から見た外観斜視図である。図３は、図１の電気コネクタの三面図であり、（ａ）は平面図であり、（ｂ）は正面図であり、（ｃ）は右側面図である。図４は、図１の電気コネクタを３個ほど横に並べて基板に配設して構成したコネクタユニットの外観斜視図である。図５は、図４のコネクタユニットを実装したバッテリーパックとこれに挿入するプラグ端子ユニットの外観斜視図である。図６は、コネクタユニットにプラグ端子ユニットが挿入された状態でケースが一部切り欠かれた外観斜視図である。図７は、電気コネクタに対してこれに挿入されるプラグ端子が図面で左側にずれた場合に、プラグ受け部が左側に変位する動作を説明するための図である。図８は、電気コネクタに対してこれに挿入されるプラグ端子が図面で右側にずれた場合に、プラグ受け部が右側に変位する動作を説明するための図である。図９は、プラグ受け部の下方への過度の弾性変位が規制されることを示す図である。図１０は、プラグ受け部の半田付け部の一端側への過度の弾性変位が規制されることを示す図である。
【００３２】
まず、図１ないし図３に示すごとく、本発明の電気コネクタ１０の第１実施例にあっては、導電性と弾性を有する板材からなり、後述する基板１２の表面に重ねて裁置されて半田付けにより固定される半田付け部１４の一端側（正面から見て後側）から基板１４の表面にほぼ垂直に上方に向けて板厚方向に折り曲げられて立ち上げ部１６が形成され、さらにその上側で半田付け部の他端側（正面から見て前側）に向けて板厚方向に折り曲げられて弾性部１８が形成される。この弾性部１８は、側方から見て、略Ｓ字状に板厚方向に折り曲げられ、その先端が再び略前方に向くようになされるとともに幅方向の寸法が狭くされて基板１２とほぼ平行な第２の弾性部２０が形成される（なお、この第１実施例では、第２の弾性部２０の長さは短い）。そしてさらに、第２の弾性部２０の先端に上方を開口部とするように略Ｕ字状または略コ字状に幅方向の両側が板厚方向に折り曲げられたプラグ受け部２２が形成される。このプラグ受け部２２には、対向する両側の面に内側に凸なる接点部２４、２４がそれぞれに設けられる。また、プラグ受け部２２の上縁および前縁は外方に向けて拡がる曲面に形成される。さらに、立ち上げ部１６の上側部分および弾性部１８に跨り、幅方向の中央に長さ方向のスリットが設けられて、２本の平行な弾性片１８ａ、１８ｂとされている。そしてまた、半田付け部１４の他端側に上方に凸なる突起部２６が形成され、プラグ受け部２２の前端の一部をさらに前方に伸ばした部分が下方に板厚方向に折り曲げられて係合部２８が形成されている。なお、図３（ｃ）の側面図に示されるように、外部から力が加わらない自然状態で、プラグ受け部２２の底部と突起部２６の間にはある程度の隙間が設けられるように形成され、また係合部２８は突起部２６より前方にあるように形成される。
【００３３】
かかる構成の第１実施例において、図４に示すごとく、３個の電気コネクタ１０、１０、１０を基板１２に横に並べて、半田付け部１４、１４、１４がそれぞれに半田付けにより固定されて、コネクタユニット３０が構成される。図４において、符号３２は、電気コネクタ１０、１０、１０を覆う絶縁樹脂からなるカバーであり、プラグ受け部２２、２２、２２に臨んで外方からプラグ端子３８、３８、３８が挿入できる孔が開口されていることは勿論である。そして、このコネクタユニット３０が、図５に示すごとく、一例としてバッテリーパック３４に実装され、このバッテリーパック３４が携帯電話機等の電気機器に装着および取り外しできるように構成され、装着状態で電子機器に設けたプラグ端子ユニット３６のプラグ端子３８、３８、３８が、コネクタユニット３０の電気コネクタ１０、１０、１０のプラグ受け部２２、２２、２２にそれぞれ挿入できるようになされる。
【００３４】
この電気コネクタ１０のプラグ受け部２２に、プラグユニット３６のプラグ端子３８をそれぞれに挿入する際に、互いの相対位置が正しければ、プラグ受け部２２は略Ｕ字状または略コ字状の開きが少し開くように弾性変形してプラグ端子３８の挿入を許容する。特に、プラグ受け部２２を横方向に移動させるような力は作用せず、何ら問題はない。しかしながら、実際の装着にあっては、プラグ端子３８に対してバッテリーパック３４が所定の装着位置で必ずしも装着されず、位置がずれた状態で装着される場合が多々ある。かかる位置がずれた状態での装着にあっては、ずれに応じてプラグ受け部２２が弾性変位してずれを吸収する必要がある。なぜならば、ずれを吸収しないと、ずれによる力が半田付け部１４と基板１２との間に作用して、半田付け部１４が基板１２から剥離等して確実な電気的接続が維持し得ない虞があるためである。
【００３５】
そこで、本発明の電気コネクタ１０において、半田付け部１４に対してプラグ受け部２２の接点部２４が、プラグ端子３８のずれに応じて弾性変位する動作を図７および図８を参照して説明する。まず、図７において、電気コネクタ１０に対してプラグ端子３８が図面で左側にずれている場合につき説明する。ずれを吸収するには、正面から見て、左側の接点部２４が、半田付け部１４に対して左側に相対的に変位すれば良い。そこで、弾性部１８において、図７で右側の弾性片１８ｂは先端側が少し前方かつ上方位置となるように弾性変位するとともに左側の弾性片１８ａは先端側が少し後方かつ下方位置となるように弾性変位する。また、図７（ａ）で紙面に垂直方向を軸として、立ち上げ部１６全体が時計回りに少し捩れるとともに、弾性部１８の前方に向けて伸びる部分が全体として、図７（ｂ）で紙面に垂直方向を軸として反時計方向に少し捻れ、さらに弾性部１８の側方から見て略Ｓ字状の部分が全体として図７（ａ）で紙面に垂直方向を軸として少し時計回りに捻れ、そしてさらに第２の弾性部２０が図７（ｂ）で紙面に垂直方向を軸として反時計方向に捩れる。もって、立ち上がり部１６と弾性部１８および第２の弾性部２０の捩れと弾性部１８の伸縮による弾性変形により、プラグ受け部２２が半田付け部１４に対して相対的に左側方向に移動でき、プラグ端子３８のずれが容易に吸収され得る。
【００３６】
また、図８において、電気コネクタ１０に対してプラグ端子３８が図面で右側にずれている場合につき説明する。ずれを吸収するには、図７で説明したのと同様に、正面から見て、右側の接点部２４が、半田付け部１４に対して右側に相対的に変位すれば良い。そこで、弾性部１８において、図８で右側の弾性片１８ｂは先端側が少し後方かつ下方位置となるように弾性変位するとともに左側の弾性片１８ａは先端側が少し前方かつ上方位置となるように弾性変位する。また、図８（ａ）で紙面に垂直方向を軸として、立ち上げ部１６全体が反時計回りに少し捩れるとともに、弾性部１８の前方に向けて伸びる部分が全体として、図８（ｂ）で紙面に垂直方向を軸として時計方向に少し捻れ、さらに弾性部１８の側方から見て略Ｓ字状の部分が全体として図８（ａ）で紙面に垂直方向を軸として少し反時計回りに捻れ、そしてさらに第２の弾性部２０が図８（ｂ）で紙面に垂直方向を軸として時計方向に捩れる。もって、立ち上がり部１６と弾性部１８および第２の弾性部２０の捩れと弾性部１８の伸縮による弾性変形により、プラグ受け部２２が半田付け部１４に対して相対的に右側方向に移動でき、プラグ端子３８のずれが容易に吸収され得る。
【００３７】
さらに、プラグ端子３８の挿入の際に、図９に示すごとく、プラグ受け部２２が基板１２に対して垂直方向に下方に向かう過大な力が作用すると、プラグ受け部２２は下方に弾性変位して，その底部が突起部２６に当接してそれ以上の弾性変位が規制される。もって、過度の弾性変位による塑性変形を生ずることがない。また、プラグ端子３８の挿入の際に、図１０に示すごとく、プラグ受け部２２に基板１２と略平行で後方に向かう過大な力が作用すると、プラグ受け部２２は後方に弾性変位するが、その先端側に設けた係合部２８が突起部２６に当接してそれ以上の弾性変位が規制され、過度の弾性変位による塑性変形を生ずることがない。
【００３８】
本発明の電気コネクタ１０は、以上説明したごとく構成されるとともに動作しており、基板１２に対して上方から略垂直方向および斜め前方からプラグ端子３８が挿入されるものに好適である。そして、半田付け部１４に対してプラグ受け部２２を横に移動し得るようにする構造が、正面から見て、プラグ受け部２２の後方に全て配設されいて、幅方向の両外側に張り出して配設されていないので、幅方向の寸法を狭く構成することができる。そこで、複数個の電気コネクタ１０、１０、１０を基板１２に横に並べて配列する場合に、その配列ピッチが狭くて良い。したがって、コネクタユニット３０の幅方向の寸法が短くて足り、小型化に好適である。
【００３９】
次に、本発明の第２実施例を図１１を参照して説明する。図１１は、本発明の電気コネクタの第２実施例の前方斜め上方から見た外観斜視図である。図１１において、図１ないし図１０と同じ部材には同じ符号を付けて、重複する説明を省略する。図１１において、第２実施例の電気コネクタ４０が、第１実施例と相違するところは、立ち上げ部１６からその上側で前方に向けて板厚方向に折り曲げられて形成される弾性部４２が、幅の狭い１本の弾性片で形成された点にある。この第２実施例にあっては、主として弾性部４２の捩れによりプラグ受け部２２の横方向への弾性変位がなされる。
【００４０】
さらに、本発明の第３実施例を図１２を参照して説明する。図１２は、本発明の電気コネクタの第３実施例の前方斜め上方から見た外観斜視図である。図１２において、図１ないし図１０と同じ部材には同じ符号を付けて、重複する説明を省略する。図１２において、第３実施例の電気コネクタ５０にあっては、立ち上げ部１６の上側で略Ｕ字状に板厚方向に折り曲げられて弾性部５２が形成され、立ち上げ部１６の上部の一部から弾性部５２に跨り幅方向の中央にスリットが設けられて、弾性部５２は２本の平行な弾性片５２ａ、５２ｂとされている。さらに、これらの２本の弾性片５２ａ、５２ｂの立ち下がる途中の部分から、前方を開口側とする略Ｕ字状または略コ字状のプラグ受け部５４が形成され、対向する両面に内側に凸なる接点部２４、２４が形成される。さらに、弾性部５２の先端はプラグ受け部５４の下側で前方に向けて板厚方向に折り曲げられて延設部が形成され、その延設部の半田付け部１４と略平行に形成された部分で、幅方向の両側を上方に板厚方向で折り曲げて上方を開口側とする略Ｕ字状または略コ字状の規制部５６が形成される。この規制部５６の対向する両側の内面は、プラグ受け部５４の対向する両面の外側に接しまたは適宜な隙間が設けられるように形成される。さらに、規制部５６の先端側の一部を前方にさらに伸ばして下方に向けて折り曲げて係合部２８が形成される。
【００４１】
かかる構成からなる本発明の第３実施例の電気コネクタ５０にあっては、基板１２に対して略平行方向にプラグ端子３８が挿入されるものに好適である。そして、プラグ端子３８の相対的な横方向のずれに対して、弾性片５２ａ、５２ｂが捩れることでプラグ受け部５４の略Ｕ字状または略コ字状が開いて接点部２４が横方向にずれる。もって、挿入されたプラグ端子３８の相対的な位置ずれが吸収され得る。しかも、プラグ受け部５４の略Ｕ字状等の弾性変形による開きが、規制部５６により適宜に規制され、過度の開きによる塑性変形が生ずることがない。
【００４２】
なお、上記実施例において、立ち上げ部１６の上側を半田付け部１４側に折り曲げて弾性部１８、４２、５２を形成しているが、かかる構成に限られず、電気コネクタの奥行き寸法が長くなるが、立ち上げ部１６の上側を半田付け部１４と反対側に折り曲げて弾性部１８、４２、５２を形成しても良い。また、コネクタユニット３０は、基板１２に複数個の本発明の電気コネクタ１０が配列されれば良く、３個に限られないことは勿論である。
【図面の簡単な説明】
【００４３】
【図１】本発明の電気コネクタの第１実施例の前方斜め上方から見た外観斜視図である。
【図２】図１の電気コネクタの後方斜め下方から見た外観斜視図である。
【図３】図１の電気コネクタの三面図であり、（ａ）は平面図であり、（ｂ）は正面図であり、（ｃ）は右側面図である。
【図４】図１の電気コネクタを３個ほど横に並べて基板に配設して構成したコネクタユニットの外観斜視図である。
【図５】図４のコネクタユニットを実装したバッテリーパックとこれに挿入するプラグ端子ユニットの外観斜視図である。
【図６】コネクタユニットにプラグ端子ユニットが挿入された状態でケースが一部切り欠かれた外観斜視図である。
【図７】電気コネクタに対してこれに挿入されるプラグ端子が図面で左側にずれた場合に、プラグ受け部が左側に変位する動作を説明するための図である。
【図８】電気コネクタに対してこれに挿入されるプラグ端子が図面で右側にずれた場合に、プラグ受け部が右側に変位する動作を説明するための図である。
【図９】プラグ受け部の下方への過度の弾性変位が規制されることを示す図である。
【図１０】プラグ受け部の半田付け部の一端側への過度の弾性変位が規制されることを示す図である。
【図１１】本発明の電気コネクタの第２実施例の前方斜め上方から見た外観斜視図である。
【図１２】本発明の電気コネクタの第３実施例の前方斜め上方から見た外観斜視図である。
【符号の説明】
【００４４】
１０、４０、５０  電気コネクタ
１２  基板
１４  半田付け部
１６  立ち上げ部
１８、４２、５２  弾性部
１８ａ、１８ｂ、５２ａ、５２ｂ  弾性片
２０  第２の弾性部
２２、５４  プラグ受け部
２４  接点部
２６  突起部
２８  係合部
３０  コネクタユニット
３２  カバー
３４  バッテリーパック
３６  プラグ端子ユニット
３８  プラグ端子
５６  規制部
【図１】
2008305659.tif 000003
【図２】
2008305659.tif 000004
【図３】
2008305659.tif 000005
【図４】
2008305659.tif 000006
【図５】
2008305659.tif 000007
【図６】
2008305659.tif 000008
【図７】
2008305659.tif 000009
【図８】
2008305659.tif 000010
【図９】
2008305659.tif 000011
【図１０】
2008305659.tif 000012
【図１１】
2008305659.tif 000013
【図１２】
2008305659.tif 000014